(57)【要約】  前側及び後側腰部区画を有するシャーシを包含する使い捨て衣類が提供される。前側部区画及び後側部区画に分割された二組の側部区画が、前側及び後側腰部区画を接続し、使い捨て吸収性衣類の連続する腰部を規定する。脚部開口部は、後側部区画の下部及びシャーシの中央股区域によって規定される。側部区画の側部区画は拡張可能な腰部及び脚部開口部を形成する。クロージャー締結要素は側部区画に位置し、シャーシと係合されると再締結可能なクロージャーを形成し、後側部区画とともに、適合された腰部及び脚部開口部を作る。前側部区画は、一般に、より狭い幅寸法のものであるので、おむつの側部に容易に折り込むことができ、適合された脚部又は腰部開口部のどちらの一部も形成しない。
2010503428.tif 000002
【特許請求の範囲】
【請求項１】
前側腰部区画とそれに対向する後側腰部区画と、前記腰部区域の間に配置され、それらを相互接続する股区域とを有するシャーシを包含する使い捨て吸収性衣類であって、二組の側部区画が前記前側及び後側腰部区画の間を延びるとともにそれらを接続し、側部区画の各組が弾性後側部区画及び前側部区画を備え、前記弾性後側部区画と前記シャーシの前記前側及び後側腰部区画とがともに、前記使い捨て吸収性衣類の収縮された連続する腰部を規定し、前記使い捨て吸収性衣類の脚部開口部が、前記弾性後側部区画の下部及び前記シャーシの前記股区域によって規定され、前記前側部区画が、前記シャーシの前記前側腰部区画の側縁部に取り付けられるとともに、対応する後側部区画に接合され、前記後側部区画が、前記シャーシの前記後側腰部区画の側縁部に取り付けられるとともに、対応する前記前側部区域に接合され、前記前及び後側部区画が延長されたとき、拡張された腰部及び脚部開口部を形成し、前記後側部区画の末端部と関連付けられた締結要素が、前記シャーシの前記前側腰部区画の中央区域と係合されたとき、再締結可能なクロージャーを形成して、収縮された前記腰部及び脚部開口部を作るように適合され、前記前側部区画が、前記後側部区画の延長を可能にするとともに、前記後側部区画が着用者に適合されたとき、おむつ上の前記側部に折り込まれて、前記収縮された腰部開口部を作るように適合された、使い捨て吸収性衣類。
【請求項２】
前記後側部区画及び前記前側部区画が、重なり区域においてそれらの末端部で接合された別個の材料である、請求項１に記載の使い捨て吸収性衣類。
【請求項３】
締結具タブが後側部区画に取り付けられた、請求項１に記載の使い捨て吸収性衣類。
【請求項４】
ＯＷＣのＡＦＷＣに対する周囲比が１．２５を超える、請求項１に記載の使い捨て吸収性衣類。
【請求項５】
ＯＷＣのＡＦＷＣに対する周囲比が１．４を超える、請求項１に記載の使い捨て吸収性衣類。
【請求項６】
ＦＳＳＨのＢＳＳＨに対する比が０．６未満である、請求項１に記載の使い捨て吸収性衣類。
【請求項７】
前記後側部区画の下縁部が輪郭を付けられた、請求項１に記載の使い捨て吸収性衣類。
【請求項８】
ＦＳＳＨのＢＳＳＨに対する比が０．５未満である、請求項１に記載の使い捨て吸収性衣類。
【請求項９】
ＦＰＰＡのＢＰＰＡに対する比が１．２を超える、請求項１に記載の使い捨て吸収性衣類。
【請求項１０】
ＦＰＰＡのＢＰＰＡに対する比が２を超える、請求項１に記載の使い捨て吸収性衣類。
【請求項１１】
ＦＰＰＡのＢＰＰＡに対する比が３を超える、請求項１に記載の使い捨て吸収性衣類。
【請求項１２】
前記前側部区画の長さが対応する前記後側部区画の長さよりも少なくとも１０％長い、請求項１に記載の使い捨て吸収性衣類。
【請求項１３】
前記前側部区画の長さが対応する前記後側部区画の長さよりも少なくとも２０％長い、請求項１に記載の使い捨て吸収性衣類。
【請求項１４】
前記前側部区画の長さが対応する前記後側部区画の長さよりも少なくとも５０％長い、請求項１に記載の使い捨て吸収性衣類。
【請求項１５】
前記前側部区画が、延長されていない対応する前記後側部区画よりも長くなるように拡張可能である、請求項１に記載の使い捨て吸収性衣類。
【請求項１６】
前記前側部区画が、前記前側部区画の長さの５〜６０％にわたって弾性セグメントを有することによって拡張可能である、請求項１５に記載の使い捨て吸収性衣類。
【請求項１７】
前記前側部区画がもろいセグメントを備える、請求項９に記載の使い捨て吸収性衣類。
【請求項１８】
前記衣類が、前記前側部区画がシャーシの重なり区域と側部区画の重なり区域との間に１つ以上のＺ字形の折り目を有するようにして折り畳まれる、請求項８に記載の使い捨て吸収性衣類。
【請求項１９】
前側腰部区画及びそれに対向する後側腰部区画と、前記腰部区域の間に配置され、それらを相互接続する股区域とを有するシャーシを包含する使い捨て吸収性衣類であって、二組の側部区画が前記前側及び後側腰部区画の間を延びるとともにそれらを接続し、側部区画の各組が、上縁部及び下縁部をそれぞれ有する弾性後側部区画及び前側部区画を備え、前記弾性後側部区画と前記シャーシの前記前側及び後側腰部区画とがともに、前記使い捨て吸収性衣類の収縮された連続する腰部を規定し、前記使い捨て吸収性衣類の脚部開口部が、前記弾性後側部区画の下部及び前記シャーシの前記股区域によって規定され、前記前側部区画が、前記シャーシの前記前側腰部区画の側縁部に取り付けられるとともに、対応する後側部区画に接合され、前記後側部区画が、前記シャーシの前記後側腰部区画の側縁部に取り付けられるとともに、対応する前記前側部区画に接合され、前記前及び後側部区画が延長されたとき、拡張された腰部及び脚部開口部を形成し、前記後側部区画の末端部と関連付けられた締結要素が、前記シャーシの前記前側腰部区画の中央区域と係合されたとき、再締結可能なクロージャーを形成して、収縮された前記腰部及び脚部開口部を作るように適合され、ＦＳＳＨのＢＳＳＨに対する比が０．６未満である、使い捨て吸収性衣類。
【請求項２０】
前記後側部区画及び前記前側部区画が、重なり区域においてそれらの末端部で接合された別個の材料である、請求項１９に記載の使い捨て吸収性衣類。
【請求項２１】
ＯＷＣのＡＦＷＣに対する周囲比が１．２５を超える、請求項１９に記載の使い捨て吸収性衣類。
【請求項２２】
ＯＷＣのＡＦＷＣに対する周囲比が１．４を超える、請求項１９に記載の使い捨て吸収性衣類。
【請求項２３】
ＦＳＳＨのＢＳＳＨに対する比が０．５未満である、請求項１９に記載の使い捨て吸収性衣類。
【請求項２４】
ＦＰＰＡのＢＰＰＡに対する比が１．２を超える、請求項１９に記載の使い捨て吸収性衣類。
【請求項２５】
ＦＰＰＡのＢＰＰＡに対する比が２を超える、請求項１９に記載の使い捨て吸収性衣類。
【請求項２６】
前記前側部区画の長さが対応する前記後側部区画の長さよりも少なくとも１０％長い、請求項１９に記載の使い捨て吸収性衣類。
【請求項２７】
前側腰部区画とそれに対向する後側腰部区画と、前記腰部区域の間に配置され、それらを相互接続する股区域とを有するシャーシを含む使い捨て吸収性衣類であって、二組の側部区画が前記前側及び後側腰部区画の間を延びるとともにそれらを接続し、側部区画の各組が弾性後側部区画及び前側部区画を備え、前記弾性後側部区画と前記シャーシの前記前側及び後側腰部区画とがともに、前記使い捨て吸収性衣類の収縮された連続する腰部を規定し、前記使い捨て吸収性衣類の脚部開口部が、前記弾性後側部区画の下部及び前記シャーシの前記股区域によって規定され、前記前側部区画が、前記シャーシの前記前側腰部区画の側縁部に取り付けられるとともに、対応する後側部区画に接合され、前記後側部区画が、前記シャーシの前記後側腰部区画の側縁部に取り付けられるとともに、対応する前記前側部区画に接合され、前記前及び後側部区画が延長されたとき、拡張された腰部及び脚部開口部を形成し、前記後側部区画の末端部と関連付けられた締結要素が、前記シャーシの前記前側腰部区画の中央区域と係合されたとき、再締結可能なクロージャーを形成して、収縮された前記腰部及び脚部開口部を作るように適合され、ＯＷＣのＡＦＷＣに対する比が１．２５を超える、使い捨て吸収性衣類。
【請求項２８】
ＯＷＣのＡＦＷＣに対する周囲比が１．４を超える、請求項２７に記載の使い捨て吸収性衣類。
【請求項２９】
ＦＳＳＨのＢＳＳＨに対する比が０．６未満である、請求項２７に記載の使い捨て吸収性衣類。
【請求項３０】
ＦＰＰＡのＢＰＰＡに対する比が１．２を超える、請求項２７に記載の使い捨て吸収性衣類。
【請求項３１】
ＦＰＰＡのＢＰＰＡに対する比が２を超える、請求項２７に記載の使い捨て吸収性衣類。
【請求項３２】
前記前側部区画の長さが対応する前記後側部区画の長さよりも少なくとも１０％長い、請求項２７に記載の使い捨て吸収性衣類。
【請求項３３】
前側腰部区画とそれに対向する後側腰部区画と、前記腰部区域の間に配置され、それらを相互接続する股区域とを有するシャーシを包含する使い捨て吸収性衣類であって、二組の側部区画が前記前側及び後側腰部区画の間を延びるとともにそれらを接続し、側部区画の各組が弾性後側部区画及び前側部区画を備え、前記弾性後側部区画と前記シャーシの前記前側及び後側腰部区画とがともに、前記使い捨て吸収性衣類の収縮された連続する腰部を規定し、前記使い捨て吸収性衣類の脚部開口部が、前記弾性後側部区画の下部及び前記シャーシの前記股区域によって規定され、前記前側部区画が、前記シャーシの前記前側腰部区画の側縁部に取り付けられるとともに、対応する後側部区画に接合され、前記後側部区画が、前記シャーシの前記後側腰部区画の側縁部に取り付けられるとともに、対応する前記前側部区画に接合され、前記前及び後側部区画が延長されたとき、拡張された腰部及び脚部開口部を形成し、前記後側部区画の末端部と関連付けられた締結要素が、前記シャーシの前記前側腰部区画の中央区域と係合されたとき、再締結可能なクロージャーを形成して、収縮された前記腰部及び脚部開口部を作るように適合され、ＦＰＰＡのＢＰＰＡに対する比が１．２を超える、使い捨て吸収性衣類。
【請求項３４】
前記後側部区画及び前記前側部区画が、重なり区域においてそれらの末端部で接合された別個の材料である、請求項３３に記載の使い捨て吸収性衣類。
【請求項３５】
ＯＷＣのＡＦＷＣに対する周囲比が１．２５を超える、請求項３３に記載の使い捨て吸収性衣類。
【請求項３６】
ＯＷＣのＡＦＷＣに対する周囲比が１．４を超える、請求項３３に記載の使い捨て吸収性衣類。
【請求項３７】
ＦＳＳＨのＢＳＳＨに対する比が０．５未満である、請求項３３に記載の使い捨て吸収性衣類。
【請求項３８】
ＦＰＰＡのＢＰＰＡに対する比が２を超える、請求項３３に記載の使い捨て吸収性衣類。
【請求項３９】
ＦＰＰＡのＢＰＰＡに対する比が３を超える、請求項３３に記載の使い捨て吸収性衣類。
【請求項４０】
前記前側部区画の長さが対応する前記後側部区画の長さよりも少なくとも１０％長い、請求項３３に記載の使い捨て吸収性衣類。
【請求項４１】
使い捨て吸収性衣類のパッケージであって、前記使い捨て吸収性衣類が、前側腰部区域とそれに対向する後側腰部区画と、前記腰部区画の間に配置され、それらを相互接続する股区域とを有するシャーシを包含し、二組の側部区画が前記前側及び後側腰部区画の間を延びるとともにそれらを接続し、側部区画の各組が弾性後側部区画及び前側部区画を備え、前記弾性後側部区画と前記シャーシの前記前側及び後側腰部区画とがともに、前記使い捨て吸収性衣類の収縮された連続する腰部を規定し、前記使い捨て吸収性衣類の脚部開口部が、前記弾性後側部区画の下部及び前記シャーシの前記股区域によって規定され、前記前側部区画が、前記シャーシの前記前側腰部区画の側縁部に取り付けられるとともに、対応する後側部区画に接合され、前記後側部区画が、前記シャーシの前記後側腰部区画の側縁部に取り付けられるとともに、対応する前記前側部区画に接合され、前記前及び後側部区画が延長されたとき、拡張された腰部及び脚部開口部を形成し、前記後側部区画の末端部と関連付けられた締結要素が、前記シャーシの前記前側腰部区画の中央区域と係合されたとき、再締結可能なクロージャーを形成して、収縮された前記腰部及び脚部開口部を作るように適合され、前記前側部区画が、前記後側部区画の延長を可能にするとともに、前記後側部区画が前記着用者に適合されたとき、前記おむつ上の前記側部に折り込まれて、前記収縮された腰部開口部を作るように適合され、前記パッケージ内では、前記後側部区画の末端部と関連付けられた前記締結要素が、前記シャーシの前記前側腰部区画の中央区域とは係合されない、パッケージ。
【請求項４２】
前記前側部区画が前記シャーシの内面に折り込まれる、請求項４１に記載の使い捨て吸収性衣類。
【請求項４３】
前記前側部区画が前記シャーシの外面上に折り畳まれる、請求項４１に記載の使い捨て吸収性衣類。
【請求項４４】
前記後側部区画及び前記前側部区画が、重なり区域においてそれらの末端部で接合された別個の材料である、請求項４１に記載の使い捨て吸収性衣類。
【請求項４５】
ＯＷＣのＡＦＷＣに対する周囲比が１．２５を超える、請求項４１に記載の使い捨て吸収性衣類。
【請求項４６】
ＯＷＣのＡＦＷＣに対する周囲比が１．４を超える、請求項４１に記載の使い捨て吸収性衣類。
【請求項４７】
ＦＳＳＨのＢＳＳＨに対する比が０．５未満である、請求項４１に記載の使い捨て吸収性衣類。
【請求項４８】
ＦＰＰＡのＢＰＰＡに対する比が２を超える、請求項４１に記載の使い捨て吸収性衣類。
【請求項４９】
ＦＰＰＡのＢＰＰＡに対する比が３を超える、請求項４１に記載の使い捨て吸収性衣類。
【請求項５０】
前記前側部区画の長さが対応する前記後側部区画の長さよりも少なくとも１０％長い、請求項４１に記載の使い捨て吸収性衣類。
【発明の詳細な説明】
【技術分野】
【０００１】
本発明は、使い捨ておむつ、失禁症状のある患者用の使い捨て吸収性衣類、使い捨ておむつカバー、及び使い捨てトレーニングパンツなど、様々な形態で使用するのに適した、使い捨て吸収性衣類に関する。
【背景技術】
【０００２】
乳幼児用おむつ又はトレーニングパンツ、使い捨て乳幼児用水着、成人用失禁製品、及び他のそのような製品などの使い捨て吸収性衣類は、当該技術分野において周知である。典型的な使い捨て吸収性衣類は、液体透過性の身体側ライナーと液体不透過性の外側カバーとの間に配置された吸収性アセンブリを包含する、複合構造として形成される。これらの構成要素は、弾性材及び封じ込め構造など、他の材料及び特徴と組み合わせて、その意図される目的に特定して適した製品を形成することができる。
【０００３】
使い捨て吸収性衣類の１つのタイプは、典型的には平らで側面が開いた衣類である、開放型の乳幼児用おむつであり、それは、衣類の後側部分の上に小児が横たわった状態で、小児の周囲に適合される。前側部分は小児の上に折り畳まれ、衣類の後側部分は、典型的には、後側部分上にあるクロージャー機構又は締結具によって、衣類の前側部分に解放可能に接続される。クロージャーは圧力によって係合されるが、それには、一般に、締結具がおむつの前側部分に押し込まれて、乳児の腹部に押し付けられることが必要となる。したがって、おむつは、典型的には、吸収性衣類を身に付けるのに親の助けを必要とする子供が使用するためのものである。そのような開放型おむつが、米国特許第３，８６０，００３号に記載されている。開放型おむつの１つの不利な点は、歩くことを学習した乳幼児が、おむつ交換のために横になることを好まない場合が多いため、そうした乳幼児に付けさせるのが困難な場合があることである。おむつを交換している介護人にとって困難を引き起こし、小児にとっては不快になるという対立する状況が生じる。更に、おむつが正しい向きで適用されておらず、かつ／又は締結具がおむつ上で間違って配置されるか、位置がずれることにより、おむつが正しく適合されない場合が多いという結果となる。
【０００４】
パンツ型おむつと呼ばれる場合があるプルオン型おむつも周知であり、いくつかの異なる設計が、特許分野において記載されており、市販されている。例えば、側面区画を用いて互いにしっかり取り付けられた前側及び後側部分を有する使い捨てトレーニングパンツが、ＷＯ−Ａ−９５１２９６５７及びＷＯ−９６１３１１７８、米国特許第４，２０５，６７９号、米国特許第４，６１０，６８１号、米国特許第４，９３８，７５３号、米国特許第４，９４０，４６４号、米国特許第５，１７１，２３９号、及び米国特許第５，８４３，０６８号から既知である。これらの設計は、側面区画の様々な弾性構造によって、広範囲の着用者に対する腰部バンドのサイズの調節性をもたらす。これは、最も一般的なタイプの市販品であり、腰部区域が実質的に連続する腰部バンドを用いて形成された弾性ブリーフとほぼ同じやり方で身に付けられ、取り外される。おむつのそのようなプルオン方式は、着用者の尻を越えて引き上げ、又は引き下げることができ、小児が交換プロセスに参加できるため、トイレトレーニング中の小児を支援するなど、特定の用途に最も多く使用されている。これらのトレーニングパンツは、適用時に着用者に対して自動的に正しい向きになっている（前側、後側、及び側部が全て整列され、正しい場所にある）という点で、少なくとも部分的には、適用時におむつよりも容易に正しく適合される。しかし、これらのタイプのトレーニングパンツおむつは、着用者の尻を越えて引き上げ、引き下げるのに十分に拡張することができる状態のまま、着用者の身体に密接に沿った適合を常に達成することができていたわけではない。例えば、着用者の腰部に対するトレーニングパンツの適合が緩すぎた場合、パンツは望ましくない漏れをもたらす可能性があり、一方、きつすぎた場合、破れたり、又は成人や特に小児が身に付けるのが困難な可能性がある。そのようなプルオンおむつは、また、従来の開放型おむつの場合のように、消費者が、着用者に対する腰部又は脚部の適合を調節することができない。それに加えて、そのようなプルオン型おむつは、おむつを引き下げずに取り外すことが困難な可能性があり、そのことによって、側部を破いて開くことが困難なことがあるために扱い難くなる可能性がある。そのようなプルオンおむつと関連する１つのさらなる問題は、汚れたときに廃棄するため、それらをロール状に巻いたり折り畳んだ形体で保持するのに便利なやり方がないことである。
【０００５】
プルオン型おむつに調節性がないことにより、食事の直後など小児の腰部が拡張しているとき、又は間違ったサイズを購入した場合、おむつの適合がきつくなりすぎるということが引き起こされることがある。多くの介護人は、開放型おむつによりもたらされたおむつの適合と、乳幼児の腰部に対してかける張力との調節が可能であることを好む。従来のプルオンおむつは、腰部又は脚部の適合におけるこの望ましい調節性を、介護人にもたらすものではない。より具体的には、脚部適合の調節性の問題における側面は、乳幼児の足及び脚部を直径が固定された脚部開口部に入れることが困難な場合があることである。この困難は、そのような従来のプルオンおむつを、靴を脱がせることなく乳幼児に付けさせようとするときに深刻である。腰部の調節性に関しての問題は、主に使用中の腰部の張力である。このように腰部の調節性がないことを克服するため、米国特許第５，５３１，７３２号は、側部区画の繊維ウェブに恒久的にシールされた機械的締結タブを使用することを教示している。この機械的締結タブを使用して、プルオンおむつの腰部適合を調節することができるが、これは、脚部開口部に調節性がないという問題に対処するものではない。
【０００６】
更に、汚れたプルオンパンツ型おむつの取外しは、便利に取り外すのに十分な空間が与えられない場合が多く、常に完全に満足のいくものではないので、見過ごすことが厄介になる可能性がある。これを克服するため、いくつかの市販のプルオンおむつは側部区画にもろいシームを備えている。そのような製品では、これらのシームを開いて、汚れたおむつの取外しを容易にすることができる。このタイプのもろいシームにより、汚れたおむつを取り外すことがより容易になるが、プルオンおむつを乳幼児の尻を越えて引き上げるプロセスは顕著な応力を側部区画にかけるため、シームを開くための抵抗力は、おむつを乳幼児に適合させるとき、シームが不用意に破れることを防ぐのに十分な強さである必要がある。そのようなプルオン製品における更なる問題は、汚れたおむつを廃棄するために、折り畳んだ、又はロール状に巻いた形体で保持するための機構を、介護人に提供しないことである。この問題を克服するため、いくつかのそのようなプルオンおむつは、特に汚れたおむつを廃棄するための形体で保持するための、別個の要素設計を備える。廃棄要素を備えたプルオンおむつの一例が、米国特許第５，５３１，７３２号に教示されている。
【０００７】
別のタイプのプルオンおむつは、側部区画の前側及び後側部分の再締結可能なアタッチメントを備えて設計されている。これにより、取外しが容易になり、また、これを使用して、おむつを開いて汚れを確認し、おむつが汚れていなければ再使用することが可能になる。しかし、側部区画の再締結可能な部品を適切に整列させる必要があるため、再締結可能なアタッチメントを再閉止することは困難である。そのようなおむつの例が、米国特許第６，８４９，０６７号、並びに米国特許出願第２００２／０１７３７６７号及び第２００４／０１６２０７号に記載されている。
【０００８】
これらのプルオンおむつの問題を克服するため、当該技術分野は、履かせて着用させる準備ができている予備閉止された状態で、即ち予備締結された状態で製造され提供されるが、開いて再閉止することができる側部締結具を備える、プルオンおむつの様々な設計を記載している。
【０００９】
予備締結された再締結可能な使い捨て吸収性衣類は、従来の開放型製品又はプルオン製品のどちらよりも優れた利点を提供することができる。開放型製品は、ほぼ平らであり、未締結の形体で提供されるが、製品を着用者の周囲で固定する締結具を含む。対照的に、プルオン製品は閉じた側部を有するので、この製品は、一体型の腰部開口部及び２つの脚部開口部を有する。予備締結された再締結可能な製品は、開放型おむつ又はプルオンおむつのどちらかのように適用し、かつ／又は取り外すことができる。例えば、製品をプルオンおむつのように適用することが有用なときがある。その他の場合では、小児の靴を脱がせたくないときなど、製品を開放型おむつのように適用することがより便利かもしれないことがあるが、この場合、おむつは未締結であり、容易に再締結してプルオン形態を再び形成することはできない。しかし、衣類を適用する特定のモードがいつ必要とされるかを知ることは困難であるため、開放型おむつ又はプルオン製品のどちらかとして使用するように適応性のある衣類を有することが有益である。これは、両方のタイプの衣類を利用可能な状態にしておくために好ましい。開放型おむつ又はプルオン型おむつのどちらかのように適用することができる製品により、製品を引き下げることなく、製品の内部を容易に確認することが可能になる。そのような予備閉止された再締結可能なおむつが、米国特許第６，８４０，９２８号、並びに米国特許出願第２００２／０１８３７１２号、同第２００２／０１７３７６５号、同第２００２／０１６５５１８号、及び同第２００２／０１６５５１７号に記載されている。
【００１０】
そのような予備締結された再締結可能な製品は、開放型及びプルオン型おむつと関連する問題のいくつかを克服するが、乳幼児を横たわらせずにおむつを乳幼児に付けるとともに、足及び脚部を脚部開口部に入れるという困難を克服するため、おむつをプルオン型おむつとして使用するのが困難であるという問題は解決せず、また、おむつを乳幼児の尻を越えて引き上げることに関連し得る困難も解決しない。
【発明の概要】
【発明が解決しようとする課題】
【００１１】
したがって、開放型おむつ又はプルオン型おむつのどちらかのように付けさせることができ、衣類がプルオン型製品として使用されたとき、足及び脚部を脚部開口部に入れることと関連する困難が低減され、また、着用者の腰部周囲の適合を容易に調節可能な使い捨て吸収性衣類が依然として求められている。それに加えて、製品がプルオン製品として使用されたとき、製品を開いて汚れを確認すること、及び衣類を便利なやり方で取り外すことに関連する困難が最小限に抑えられるような、使い捨て吸収性衣類が依然として求められている。それに加えて、使用後に廃棄するのに便利に構成されているような、使い捨て吸収性衣類が依然として求められている。
【課題を解決するための手段】
【００１２】
本発明は、前側腰部区画とそれに対向する後側腰部区画と、腰部区画の間に配置され、それらを相互接続する股区域とを有するシャーシを含む、使い捨て吸収性衣類を対象とする。前側及び後側腰部区画はそれぞれ、吸収性物品の着用者の前側及び後側それぞれに接して位置付けられるように構成される。二組の側部区画は、前側及び後側腰部区画の間を延び、それらを接続する。側部区画の各組は前側部区画と後側部区画に分割される。後側部区画と、シャーシの前側及び後側腰部区画とはともに、使い捨て吸収性衣類の連続する腰部を規定する。脚部開口部は、後側部区画の下部及びシャーシの中央股区域によって規定される。使い捨て吸収性衣類の前側部区画は、シャーシの前側腰部区画の側縁部及びそれに対応する後側部区画に取り付けられる。後側部区画は、シャーシの後側腰部区画の側縁部及びそれに対応する前側部区画に取り付けられ、前及び後側部区画は互いに接合されて、拡張可能な腰部及び脚部開口部を形成する。後側部区画上に位置する、又はそれに取り付けられた締結要素は、シャーシの前側腰部区画の中央区域と係合されたとき、再締結可能なクロージャーを形成して、収縮された腰部及び脚部開口部を作るように適合される。後側部区画は延伸性であり、一般に弾性であって、着用者の腰部及び脚部の周囲で衣類をぴったり適合させる。前側部区画は、おむつの側部に折り込まれるように適合され、おむつの側部に折り込まれるが、おむつが着用者に適合されたとき、脚部又は腰部のどちらの開口部の一部も形成しない。
【００１３】
一実施形態では、小児が横たわることによっておむつが使用されたとき、小児が衣類に足を入れた後、適用者が小児又は着用者に対して前側区画を適所で保持しながら、後側部区画を延長させて、調節可能な適合を提供することができるような前側部区画が提供される。
【００１４】
別の実施形態では、前側部区画が少なくともシャーシに隣接した後側部区画よりも狭い（narrower that）前側部区画が提供される。これにより、前側部区画における拡張された脚部開口部の下縁部が持ち上がり、それが、衣類の前部における拡張された脚部開口部を増大させて、衣類に足を入れるのが大幅に容易になる。特に、狭い前側部区画により、前側部区画の下縁部が、シャーシに隣接した後側部区画の下縁部よりも上に持ち上がる。これにより、前側部区画の拡張された脚部開口部の上縁部が持ち上がり、前側部区画が着用者の足の前側をより容易に受け入れて、足の前側が前側部区画の下縁部に引っ掛かる可能性が低減され、また、小児の着用者に、衣類を身に付けているときにつま先を伸ばすようにさせる必要性が低減される。
【００１５】
一般に、本発明の使い捨て衣類の拡張された腰部及び脚部開口部によって、従来のプルオンおむつよりも、小児が衣類に足を入れることが容易になり、また、本発明の使い捨て衣類は、起立した状態で、又は従来の開放型のように小児を仰向けに寝かせた状態で適合することができる。これにより、小児が参加することが可能になるとともに、従来の開放型おむつの調節性が十分に許容される。
【図面の簡単な説明】
【００１６】
【図１】前側部区画及び後側部区画が拡張状態にある本発明の衣類の斜視図。
【図２】図１の実施形態の平面図。
【図３】閉じた状態にある図１の実施形態の平面図。
【図４ａ】拡張状態にある本発明の第２の実施形態の平面図。
【図４ｂ】使用前の折り畳んだ状態にある図４ａの実施形態の概略平面図。
【図５ａ】拡張状態にある本発明の別の実施形態の平面図。
【図５ｂ】使用前の折り畳んだ状態にある図５ａの実施形態の概略平面図。
【図５ｃ】使用前の別の折り畳んだ状態にある図５ａのタイプの実施形態の概略平面図。
【図６】前側部区画及び後側部区画が拡張状態にある本発明の別の衣類の斜視図。
【図７】前側部区画及び後側部区画が拡張状態にある図１に示される本発明の衣類の切欠斜視図。
【発明を実施するための形態】
【００１７】
本発明の一実施形態では、図１に示されるように、締結具２３は、締結具タブ２２を使用することによって後側部区画１６に取り付けられており、それによって、衣類を乳幼児に付けさせている介護人が、タブを把持して、後側部区画１６を便利に前方に引張りながら、締結具２３を、シャーシ１０の前側腰部区画８の中央ランディング領域２５上に位置付けることが可能になっている。締結具タブ２２により、連続する腰部開口部１１が拡張された形体にあるとき、締結具２３が腰部開口部から外向きに延びることが可能になっている。締結具２３が、シャーシ１０の前側腰部区画８の中央ランディング領域２５に解放可能に取り付けられると、締結具タブ２２は、適合された腰部周囲開口部１１’の一部となる。
【００１８】
収縮又は適合された腰部開口部１１’の周囲は、シャーシの前側腰部区画８及び後側腰部区画７と、前側腰部区画８と重なり合わない後側部区画１６の部分との周囲寸法を組み合わせたものによって作られる。拡張された腰部開口部１１の周囲は、シャーシの前側腰部区画８及び後側腰部区画７と、前側部区画２及び後側部区画１６との周囲寸法を組み合わせたものによって作られる。この拡張された腰部開口部周囲又は開いた腰部周囲（以下に規定されるように、ＯＷＣと称する）の、平均適合腰部周囲（以下に規定されるように、ＡＲＷＣと称する）に対する比（「適合比」）は、約１．２５を超えることが好ましく、或いは、好ましくは１．４〜約２を超える。この拡張された腰部開口部周囲の適合又は収縮された腰部周囲１１’に対する適合比が大きいほど（１．４以上）、着用者の足が絡むことなく衣類を身に付けさせることがより容易になる。より大きい適合比は、後側部区画よりも大きい前側部区画（長さがより長い、但し必ずしもより幅広ではなく、そうではないことが好ましい）を使用することによって可能になる。
【００１９】
後側部区画１６は、適合又は収縮された腰部開口部１１’並びに適合又は収縮された脚部開口部を作ることができるように形成される。これは、一般に、後側部区画の上縁部２４を、前側及び／又は後側腰部区画の上縁部と実質的に整列させることによって成される。これは、例えば、前側及び／又は後側腰部区画（７及び８）の上縁部の０〜２０ｍｍであることができる。後側部区画１６の下縁部２６は、適合又は収縮された脚部開口部の形状を形成して、シャーシの中央股区域と併せて収縮された脚部開口部を提供するような輪郭にすることができる。中央股区域１４は、典型的には、縁部２７に沿って弾性化されて、弾性化脚部開口部を形成する。
【００２０】
前側部区画２は、あらゆる好適な形状であって、但し、適合された腰部又は脚部開口部の一部を形成しないようなものであることができる。前側部区画２は、一般に、後側部区画の少なくとも最も幅広の区画よりも狭い、又は、前側及び後側腰部区画（７及び８）に取り付けられる場所から間隔を空けた所与の地点における後側部区画よりも狭い高さ１２’を有する。これにより、前側部区画２の高さ（以下に規定されるように、ＦＳＳＨと称する）の、後側部区画１６の高さ（以下に規定されるように、ＢＳＳＨと称する）に対する比は、０．７未満、好ましくは０．６未満となる。これにより、コストが節約されるとともに、おむつの後側部区画が着用者に適合されたとき、前側部区画２を、おむつの側部により容易に折り込むことが可能になる。より狭い前側部区画２はまた、衣類の前側における拡張された脚部開口部を増大させて、衣類に足を入れることがより容易になる。狭い前側部区画２は、一般に、前側部区画２の下縁部２８を、シャーシ又は後側腰部区画８に隣接した後側部区画１６の下縁部２６よりも上に持ち上げる。これにより、前側部区画２における拡張された脚部開口部の上縁部（前側部区画２の下縁部２８）が持ち上がり、前側部区画が着用者の足をより容易に受け入れて、足の前側が前側部区画２の下縁部２８に引っ掛かる可能性が低減される。
【００２１】
シャーシに、即ち前側腰部区画８に隣接した、前側部区画２の下縁部２８の区画は、好ましくは、シャーシに、即ち後側腰部区画７に隣接した、後側部区画１６の下縁部２６の区画よりも上にある。これを別の形で説明すると、衣類が拡張され、おむつが着用されるときのように、前側部区画２が後側部区画１６の上に配置されたとき、それらが重なり合う区域では、後側部区画１６の下縁部２６は、１つ以上の区画において前側部区画２の下縁部２８を越えて延びる。これにより、後側部区画１６の下縁部２６が下に延びて、着用者の臀部及び上側脚部区域をより多く覆うことによって、よりしっかりした適合が作られることが可能になる。
【００２２】
拡張された脚部開口部を特徴付ける別のやり方は、図７に示され、以下の実施例の項に記載されるように、拡張された脚部開口部の２つの部分周辺、及びそれらが範囲を定める領域を考察することによるものである。拡張された脚部開口部の第１の部分周辺４２は、前側部区画を包含するもの（以下に規定されるように、ＦＰＰＡと称する）であり、第２の部分周辺４３は、後側部区画を包含する（以下に規定されるように、ＢＰＰＡと称する）。各部分周辺は、以下の図面の具体的な説明にて規定されるように、十分に延長された前側部及び後側部区画を使用して考察される。前側部区画の部分周辺領域の後側部区画の部分周辺領域に対する周辺領域比（本明細書に規定される）は、少なくとも１．２又は１．３であり、特定の実施形態では、２を超え、又はさらには３を超える。これは、前側部区画の部分周辺４２及び後側部区画の部分周辺４３、並びにそれらの領域が同じである場合よりも、着用者の足の前側が衣類に乗る領域が著しく多いことを意味する。
【００２３】
前側部区画２は、あらゆる好適な形状であることができるが、矩形は、材料の使用を最小限に抑えるとともに、着用者が足を入れるのが容易になるように、より大きな拡張された脚部開口部又は前側の部分周辺領域を作り出す。前側部区画２は、あらゆる好適な材料又は積層体で形成することができるが、一般に、柔らかい可撓性の材料であり、好適には、フィルム若しくは不織布ウェブ、又は不織布ウェブ及び／若しくはフィルムを用いた積層体であることができる。
【００２４】
一実施形態では、前側部区画２は、後側部区画１６が着用者に適用されたときに拡張できるようにするためなど、後側部区画１６よりも長いか、又は延伸性であるかのどちらかである。前側部区画２は、一般に、それに対応する延長されていない後側部区画よりも、少なくとも１０％、２０％、若しくは更には５０％長い（又は、その長さまで拡張可能である）。前側部区画２は、全体的若しくは部分的に、拡張可能な材料、又は弾性ウェブ、波形化ウェブ、マイクロプリーツウェブなどの積層体で形成することによって、拡張可能であることができる。拡張可能である場合、前側部区画２は、一般に、上述したような、それに対応する延長されていない後側部区画１６よりも長いものであることができるように拡張可能である。好ましくは（preferable）、前側部区画２は、弾性材又はウェブで形成された場合、全体が弾性ではないが、弾性率が低く伸び率が高い別個の弾性セグメントを有し、一般に、この弾性セグメントは、前側部区画２の量又は長さの５〜６０％、又は１０〜４０％であることができる。もろいセグメントも前側部区画上に設けることができ、これは、衣類を純粋な開放型おむつとして使用するため、又はおむつを取り外すのを支援するため、衣類を着用者上に配置する前に破くことができる。
【００２５】
弾性の後側部区画１６を製造するのに適した材料としては、伸縮結合積層体（ＳＢＬ）材料、ネック結合積層体（ＮＢＬ）材料、エラストマーフィルム、エラストマー不織布、エラストマー発泡体材料、及び／又はそれらに類するものが挙げられるが、それらに限定されない。例えば、好適なメルトブローンエラストマー繊維ウェブが、米国特許第４，６６３，２２０号に記載されている。フィルム又は繊維状弾性層に固定された不織布材料の少なくとも一層を含む複合布地も望ましい。好適なＮＢＬ材料の例が、１９９３年７月１３日付けでモーマン（Morman）に発行された米国特許第５，２２６，９９２号に記載されており、その開示を参照により組み込む。後側部区画は、少なくとも腰部周囲の方向に弾性であるが、複数方向の弾性を有することができる。
【００２６】
本発明の使い捨て吸収性衣類は、締結タブ２２又は締結具２３が保管位置にある形体で、衣類のパッケージから出されるように設計されているので、介護人は、腰部が完全に拡張された形体でおむつを容易に位置付けて、乳幼児が容易に衣類に足を入れられるようにすることができる。即ち、締結タブ２２は、中央ランディング領域２５に予備取り付けされていない。乳幼児の足が、拡張された腰部及び脚部開口部に通されると、衣類は、最終的な着用位置に引き上げられ、締結要素又はタブ２２が、腰部及び脚部開口部の周りにおける衣類の適合をきつくするのに使用されて、乳幼児の腰部及び上側脚部の周囲で、ぴったりした快適な収縮された適合がもたらされる。これは、小児／着用者が直立した状態で行うことができ、又は、開放型おむつと同様に、小児／着用者を仰向けに配置し、適合させることができる。衣類は、プルアップ型製品と同様に（後側、前側、及び側部が全て正しく整列された状態で）乳児又は着用者の周囲に正しく位置付けられるが、開放型おむつと同様に、脚部及び腰部開口部は両方とも必要に応じて調節することができる。衣類（例えば、おむつ）は、着用者が直立した状態でその上に配置することができ、又は、小児を仰向けにし、それに適合させることができる。このことが望ましいのは、プルオンおむつと同様に、乳児が衣類に足を入れているため衣類が正しく位置付けられるためであり、また、乳児の周囲で迅速に閉じることができ、開放型おむつと同様にぴったりした適合が形成される。開放型おむつの課題は、おむつが乳児の中心に置かれ、後側の締結具又は締結タブが、おむつの前側腰部区画上の締結面と整列され、それによって、締結具を使用しておむつが閉じられたとき、後側、前側、及び側部が全て整列されるように、乳児をおむつ上で常に正しく位置付けることである。この位置付け機能は、乳児の意志に反するのではなく、本発明の衣類を用いて乳児の支援によって行うことができる。
【００２７】
本発明の物品１の一実施形態では、図１〜５ｃに示されるように、前側部区画２は、遠位端３、近位端４、腰部開口部１１の周囲方向で測定した未接着長さ寸法９、及び高さ寸法１２を有する（但し、台形状又は他の形状であることができる）。この実施形態では、後側部区画１６は、遠位端５、近位端６、腰部開口部１１の周囲方向で測定した長さ寸法１３、及び最大高さ寸法１５を有し、後側部区画は、矩形若しくは台形、又は他のあらゆる好適な形状であることができる。前側部区画２の近位端４は、シャーシ１０の前側腰部区画８の側縁部１７に固着される。後側部区画１６の近位端６は、シャーシ１０の後側腰部区画７の側縁部１８に固着される。前側部区画２の遠位端３は、後側部区画１６の遠位端５に固着される。これらの固着は、好ましくは、固着を形成する２つの材料の重なり区域１９、１９’をそれぞれ含む。例えば、前側部区画２の近位端４は、シャーシ１０の前側腰部区画８の側縁部１７に重なり合って、重なり区域１９’を形成し、前側部区画２の遠位端３と後側部区画１６の遠位端５とは、重なり区域１９で重なり合う。拡張された腰部開口部１１は、前側部区画２の長さ寸法９及び後側部区画１６の長さ寸法１３と、シャーシの前側腰部区画８の長さ寸法２０及び後側腰部区画７の長さ寸法２１とを、あらゆる重なり区域を考慮に入れて互いに加えることによって決定される。図１では、前及び後側部区画の重なり区域１９は、従来の締結具２３が取り付けられた締結具タブ２２を更に備える。代替例では、図２に示されるように、締結具２３は、前側部区画（図示されるように）又は後側部区画の延長部分（図示なし）のどちらかの重なり区域１９に、又はそれに隣接して直接適用することができる。前及び後側部区画のこの重なり１９は、２つの間にある締結具を取り付けることができる遷移区域とそれらが単一材料で形成されている場合に、排除することができる。
【００２８】
図１〜５ｃの実施形態では、前側部区画２は、腰部開口部１１の周囲方向で測定して、後側部区画１６よりも長い長さを有する。これにより、人が衣類を身に付けることが可能になり、例えば、介護人がおむつを乳幼児に付けるか、又は失禁症状のある成人が自身で衣類を身に付けて、シャーシ１０の前側腰部区画８の側縁部１７（前側部区画が取り付けられる）を、締結タブ２２又は締結具２３を把持しながら一方の手で着用者の身体に当てて所定位置で保持し、後側部区画１６を前方に引張って、締結具２３をシャーシ１０の前側腰部区画８の中央ランディング領域２５上の所定位置に配置して、着用者上で衣類を保持するクロージャーを作製することが可能になる。前側部区画２が非延伸性で、後側部区画１６よりも長くない場合、シャーシ１０の前側腰部区画８の側縁部１７を着用者の身体に当てて保持する動作によって、前側部区画２が、衣類を着用者に付ける際に後側部区画１６が弾性的に伸長するのを防ぐことが可能になる。衣類を身に付けるとき、シャーシ１０の前側腰部区画８の側縁部１７を着用者の身体に当てて適所で保持する動作は、そのような衣類を使用する多くの人が、前側腰部区画８が適合後に平らであるようにするための自然な動きである。
【００２９】
追加の実施形態は、図６に示されるように、前側部区画３２に弾性領域３０を含んで、衣類３１を適用したときに、前側部区画３２によって後側部区画１６の伸長に対する制約を更に限定することを含む。そのような場合、前側部区画３２のこの弾性領域３０は、前側部区画３２がシャーシ１０の前側腰部区画８の側縁部１７に固着される場所と、前側部区画３２が後側部区画１６に固着される場所との間のいずれかの地点に配置することができる。前側部区画３２の弾性領域３０は、腰部開口部の周囲方向で弾性的に伸長して、衣類を着用者に適用したとき、後側部区画１６が伸長することを更に可能にする。
【００３０】
衣類は、図４ｂ、５ｂ、及び５ｃに示されるように、使用前は折り畳まれていることができる。図４ａ及び４ｂでは、重なり区域は、図１〜３に示されるように、後側部区画１６の内面４２及び前側部区画２の内面４３が固着されて、継ぎ合わされた重なり区域１９を形成する場所である。これにより、外向きに延びる継ぎ合わされた重なり区域１９が作られる。これは、前及び後側部区画がおむつライン上で整列して別個に供給される場合に望ましいが、それは、シャーシがその最終形態に折り畳まれる前に、これらの区画を容易に別個に適用し、次に互いに重ね、固着することができるためである。前側部区画２は後側部区画よりも長いので、前側部区画は、シャーシの重なり区域１９’とサイドシームの重なり区域１９との間に、１つ以上のＺ字形の折り目４１を備えることができる。図５ａ及び５ｂの実施形態では、前側部区画は、同様に、前側部区画がシャーシの内面上に折り畳まれる、シャーシの重なり区域１９’とサイドシームの重なり区域１９との間に、１つ以上のＺ字形の折り目５１を備える。しかし、この実施形態では、側部区画の重なり区域１９は、後側部区画１６の内面４２に固着される前側部区画２の外面４６によって形成されて、側部区画の重なり区域１９を形成する。これによってより結合剤としての強い固着が作られるが、それは、衣類が着用者に適用されたとき、何らかの応力が加えられた場合に、固着が剪断モードにあるためである。図５ｃは、前側部区画２にＺ字形の折り目６１を備えたシャーシの外面上に折り畳まれた、図５ａのタイプの衣類のシャーシである。図５ｃは、包装されたときにサイドシームがおむつの外側上に折り畳まれる、図５ａの実施形態の代替例の折り畳みである。
【００３１】
弾性の側部区画が、おむつを乳幼児の尻及び臀部を越えて容易に引き上げることができるように、並びに、乳幼児の動きに快適に適応するように弾性を提供し、おむつのぴったりした適合を維持するように、十分に弾性的に伸長しなければならない従来のプルオン型おむつとは対照的に、本発明では、後側部区画は、おむつを引き上げるために弾性的に伸びる必要はない。弾性の後側部区画は、単に、乳幼児のサイズ及び形状の限定された範囲にわたって、乳幼児の動きに快適に適応し、おむつのぴったりした適合を維持する役割を果たす。そのため、必要な弾性伸長の程度はより少なく、したがって、本発明の衣類の側部区画を作製するのに使用される弾性材の量は、同様のサイズの従来のプルオンおむつを作製するのに使用されるよりも大幅に少ない量であることができる。
【００３２】
クロージャー又は締結タブ２２により、人が衣類を適用して、タブが保管位置にある状態（一般に、折り重ね、前側部区画２に一時的に取り付けることができる）でその端部を容易に把持し、また、すぐに使用できる開放位置にそれを開くことが可能になる。保管形体では、締結具２３は前側部区画２に面し、また、前側部区画２と解放可能に係合されてもよい。締結具２３は、フック材料、感圧性接着剤、凝集性クロージャー材料、又は他のあらゆる好適な締結具材料を包含する、あらゆる適切な締結具材料であることができる。締結具がフック材料の場合、衣類を適用する人が締結タブを把持し、それを引張って開いて、フックを前側部区画から係脱して、すぐに使用できる形体にするまで、フックが前側部区画を軽く係合して、締結具タブを保管形体で保持することが望ましい。
【００３３】
締結具タブ２２の把持を容易にするため、タブは摘み領域を備えてもよい。本発明の一実施形態では、締結タブは後側部区画１６の遠位端５に固着される。この固着は、接着剤結合、熱接着、音波接着、圧力接着、又はこれらの方法の組み合わせを包含する、あらゆる既知の方法によって達成することができる。締結具タブ材料はあらゆる好適な材料であることができる。タブ材料に適した材料の例としては、フィルム、不織布、フィルムと不織布の積層体、紙、及び類似の材料が挙げられる。締結具は、接着剤結合、熱接着、音波接着、圧力接着、又はこれらの方法の組み合わせを包含する、あらゆる好適な固着方法を用いて締結具タブ材料に固着される。例えば、締結具がフック材料であるとき、接着剤結合、又は接着剤結合と音波接着又は圧力接着との組み合わせを使用して、フック材料が締結具タブ材料に結合されてもよい。
【００３４】
本発明を更に説明するため、乳幼児用おむつとしての本発明の一実施形態の一実施例を使用して衣類を説明するが、適切なサイズ調節によって、衣類は、失禁症状のある成人用の使い捨て吸収性衣類、使い捨て吸収性挿入物を利用する使い捨て吸収性衣類の外側カバー、乳幼児用の使い捨て水着（swim ware）、及び同様のそのような使い捨て衣類であることができることを理解すべきである。
【実施例】
【００３５】
本明細書で上述したように、本発明のおむつでは、脚部開口部の三次元の向き、即ち、脚部開口部の一部を形成する前及び後側部区画の様々な地点と、脚部開口部の残りの部分を形成するおむつシャーシの部品の様々な地点との間の距離及び関係が重要である。これらの関係を特徴付ける様々な測定されたパラメータを表１に示す。これらの測定値を参照して、以下の用語が理解される。表記「開いた」は、おむつが開いているか拡張された状態である形体、例えば、おむつの着用者上に配置される際、又はおむつの着用者が足を入れる際の位置を意味する。そのような位置は図２に表される。用語「適合された」は、おむつの側部区画がおむつのバックシートの取り付け領域上に配置され、それに取り付けられている（例えば、締結タブなどによって）、収縮された、例えば閉じた形体、例えば、おむつの着用者によって着用される際の形体を意味する。そのような形体は図３に表される。表記「垂直」は、おむつの着用者の胴体と整列される方向に沿っていることを意味する。表記「水平」は、垂直方向に直交する面に、即ち、おむつの着用者の腰部によって確立される面に平行な面に沿っていることを意味する。上部又は頂部という用語は、おむつが着用されたとき、垂直方向に沿って最上方になる部分を指す。下部又は底部という用語は、おむつが着用されたとき、最下方になる位置を指す。
【００３６】
有用な一組のパラメータは部分周辺である。所与のおむつの前側部区画の部分周辺を測定するため、おむつを、前側部区画２を上にして（図７の部分図に示される形体で）表面上に平らにして置いた。前側部区画２を、平らであって十分に延長されるようにして、但し張力が掛からない状態で位置付けた。股区域１４における脚部開口部の最下方地点５５が、おむつの構造によって付与される位置にあることができるように、即ち延長部がその上に配置されないようにした。
【００３７】
前側部区画の部分周辺の測定値は、前及び後側部区画が接合される固着領域３５の最下方地点における地点３５’を起点とした（固着又はシーム３５は、典型的には、上述した前側部区画／後側部区画の重なり区域１９の近位縁部を占める）。前側部区画２の下縁部に沿って、地点３５’から、前側部区画２がおむつの前側腰部区画８に接合される地点２９までの距離を測定した。この地点から、脚部開口部の最下方地点５５までの測定を続けた。次に、地点５５から地点３５’に戻る理論上の直線３３（あらゆる物理的な縁部又は表面には対応しない）を測定することによって、部分周辺の測定を完了した。したがって、前側部区画によって確立される部分周辺は、図７の点線４２によって表されるもの（ほぼ三角形）であった。前側部区画の部分周辺によって画定される面積を計算した。
【００３８】
後側部区画の部分周辺に関して、おむつを、後側部区画１６を上にして、後側部区画１６が平らであって十分に延長されるようにして、但し張力が掛からない状態で、表面上に平らにして置いた。股区域１４における脚部開口部の最下方地点５５が、おむつの構造によって付与される位置にあることができるように、即ち延長部がその上に配置されないようにした。
【００３９】
後側部区画１６の部分周辺の測定は、後側部区画の下縁部上の地点である、垂直方向でシーム３５の直ぐ下の地点３５”を起点とした。後側部区画１６の下縁部に沿って、地点３５”から、後側部区画１６がおむつの後側シャーシに接合される地点２９’までの距離を測定した。この地点から、脚部開口部の最下方地点５５までの測定を続けた。次に、地点５５から地点３５”に戻る理論上の直線３３’（あらゆる物理的な縁部又は表面には対応しない）によって、部分周辺の測定を完了した。したがって、後側部区画１６によって画定される部分周辺は、図７の破線４３によって表されるもの（ほぼ三角形）であった。後側部区画の部分周辺によって画定される面積を計算した。
【００４０】
前及び後側部区画の部分周辺面積の測定値を表１に提供する。各おむつについて、前側部分周辺面積（ＦＰＰＡ）の後側部分周辺面積（ＢＰＰＡ）に対する比も提供する。
【００４１】
本発明を更に十分に説明するため、前側部区画長さ９（ＦＳＳＬ）と後側部区画長さ１３（ＢＳＳＬ）（図１に示される）も包含され、またＦＳＳＬ／ＢＳＳＬ比も包含される。それに加えて、垂直方向の前側部区画高さ１２（ＦＳＳＨ）と後側部区画高さ１５’（ＢＳＳＨ）が含まれ、また、ＦＳＳＨ／ＢＳＳＨ比も包含される。垂直方向の高さ１２’及び１５’は、側部区画がシャーシに重なり合う地点（それぞれ、前及び後側部区画上）から２０ｍｍ遠位の地点（それは側部区画に沿って外側）で測定した。
【００４２】
別の有用なパラメータの組は、開いた位置及び適合された位置における腰部周囲である。１つのそのような測定値は、開いた腰部周囲（ＯＷＣ）、即ち、おむつが開いた位置（例えば、図２に表されるような位置）にあるとき、シャーシ並びに前及び後側部区画によって確立される、おむつの腰部周囲全体の長さである。この測定は、前及び後側部区画が十分に延長されるが、伸長されないようにしてそれらの区画を延長して、おむつを平らに配置し、上縁部に沿って腰部の長さを測定し、それを二倍にして周囲を得ることによって行った。（前側部区画が後側部よりも長い場合、又はその逆の場合、十分に延びた腰部周囲を測定するには、折り目がおむつのシャーシから最も遠位の位置を占めるようにして、より長い側部区画を折り畳むことが必要であった。この場合、測定された長さは、２つの側部区画の間の接合シームまでではなく、遠位の折り目までであった。）タブと、前及び後側部区画を接合するシームの遠位（外側）にある（したがって、腰部周囲には寄与しない）前及び／又は後側部区画のあらゆる部分とは、考慮に入れなかった。
【００４３】
別の測定値は、最小適合腰部周囲、即ち、おむつが最もきつく適合された状態（締結タブの遠位端が、おむつの前側中央ランディング領域２５上で互いに接して配置されている）での腰部周囲の長さであった。これは、締結タブが上述のように配置された状態でおむつを平らに置き、前及び後側部区画が十分に延長されるが、伸長されないようにしてそれらの区画を延長し、上縁部に沿って腰部の長さを測定し、それを二倍にすることによって得られた。やはり、周囲に寄与しない部分は考慮に入れなかった。特に、この形体では、シャーシの上に、或いは互いの上に折り畳まれた前及び／又は後側部区画の部分（それによって、それらはもう周囲には寄与しない）は考慮に入れなかった。
【００４４】
別の測定値は、最大適合腰部周囲、即ち、おむつが、図３に示される形体に類似する、最も緩く適合された状態（締結タブが、ランディング領域２５の向かい合った側部上で可能な限り遠く離れて配置されている）での腰部周囲の長さであった。この位置にあるおむつを用いて、最小適合腰部周囲の場合と同じ手順を使用して測定値を得た。
【００４５】
これらの測定値から、平均適合腰部周囲（ＡＦＷＣ）を計算した。最終的に、開いた腰部周囲の平均適合腰部周囲に対する比を、各おむつについて計算した。各おむつについて、開いた腰部周囲、平均適合腰部周囲、及びＯＷＣ／ＡＦＷＣ比を表１に示す。
【００４６】
次のものについて測定を行った。
【００４７】
Ｄ１−この技術分野のおむつを得た（パンパース・クルーザーズ（PAMPERS CRUISERS）（サイズ５）の商標名で、プロクター・アンド・ギャンブル（Proctor & Gamble）（オハイオ州シンシナティ（Cincinnati））から入手可能な開放型おむつ）。このおむつを、製造時の前及び後側部区画をそれらの近位端でシームを用いて互いに接合することにより、それらを接続することによって修正した。
【００４８】
Ｄ２−この技術分野のおむつを得た（パンパース・クルーザーズ（PAMPERS CRUISERS）（サイズ５）の商標名で、プロクター・アンド・ギャンブル（Proctor & Gamble）（オハイオ州シンシナティ（Cincinnati））から入手可能な開放型おむつ）。このおむつを、既存の前側部区画を取り除き、それらを、表１に記載されるような寸法及び性質をもつ弾性前側部区画と置き換えることによって修正した。前及び後側部区画を、Ｄ１と同様に、それらの近位端でシームを用いて接合した。
【００４９】
Ｄ３−この技術分野のおむつを得た（パンパース・クルーザーズ（PAMPERS CRUISERS）（サイズ５）の商標名で、プロクター・アンド・ギャンブル（Proctor & Gamble）（オハイオ州シンシナティ（Cincinnati））から入手可能な開放型おむつ）。このおむつを、既存の前側部区画を取り除き、それらを、表１に記載されるような寸法及び性質をもつ非弾性前側部区画と置き換えることによって修正した。前及び後側部区画を、Ｄ１と同様に、それらの近位端でシームを用いて接合した。
【００５０】
Ｄ４−この技術分野のおむつを得た（パンパース・クルーザーズ（PAMPERS CRUISERS）（サイズ５）の商標名で、プロクター・アンド・ギャンブル（Proctor & Gamble）（オハイオ州シンシナティ（Cincinnati））から入手可能な開放型おむつ）。このおむつを、既存の前側部区画を取り除き、それらを、表１に記載されるような寸法及び性質をもつ前側部区画と置き換えることによって修正した。前側部区画は、おむつのシャーシに近接し、シームによってそれに取り付けられた、２６ｍｍの合計側部区画長さを備える弾性区画と、弾性区画の遠位にあり（シームによってそれに取り付けられ）、７５ｍｍの合計側部区画長さを備える非弾性区画とを備えていた。前及び後側部区画を、Ｄ１と同様に、それらの近位端でシームを用いて接合した。
【００５１】
【表１】
2010503428.tif 000003
【図１】
2010503428.tif 000004
【図２】
2010503428.tif 000005
【図３】
2010503428.tif 000006
【図４ａ】
2010503428.tif 000007
【図４ｂ】
2010503428.tif 000008
【図５ａ】
2010503428.tif 000009
【図５ｂ】
2010503428.tif 000010
【図５ｃ】
2010503428.tif 000011
【図６】
2010503428.tif 000012
【図７】
2010503428.tif 000013
【国際調査報告】
2010503428.tif 000014
2010503428.tif 000015